(57)【要約】ワイン、スピリッツ、その他の飲料の味、風味を変化させるために飲料を磁界を通して通過させる磁化液体ディスペンサーが提供される。磁気ディスペンサーは、注ぎ口と磁石を含む。注ぎ口は、容器内の液体を注ぎ口のあらかじめ設定された通路を通じて注ぎ出すための大きさと形状である。磁石は、磁界を発生させることができる。液体が注ぎ出されるとき、液体は、磁界を通過する。注ぎ口と磁石の位置関係は調整可能である。
2008517844.tif 000002
【特許請求の範囲】
【請求項１】
飲料容器の口に直接又は間接的に取り付けられる磁化液体ディスペンサーにおいて、
（ａ）注ぎ口のあらかじめ設定された通路を通じて、容器の中の液体を注ぎ出すための大きさ及び形状を有する注ぎ口と
（ｂ）容器の外に注がれる液体を通す磁界を発生可能で、注ぎ口に対して適切に配置可能な磁石と、
で構成されることを特徴とする磁化液体ディスペンサー。
【請求項２】
磁石は、ドーナッツ状の空洞を有し、注がれるときに液体は磁石の空洞を通じて流れることを特徴とする請求項１記載のディスペンサー。
【請求項３】
磁石及び注ぎ口は、互いに対して回転可能であることを特徴とする請求項１記載のディスペンサー。
【請求項４】
磁界は、容器から液体が注がれるとき、適切な角度で、注ぎ出される液体と空気の界面を通じて通過することを特徴とする請求項１記載のディスペンサー。
【請求項５】
ベースマウントで構成されており、磁石は、ベースマウントに組み込まれ、ベースマウントと注ぎ口の関係位置は調整可能であることを特徴とする請求項１記載のディスペンサー。
【請求項６】
ベースマウントと注ぎ口は、互いに対して回転可能であることを特徴とする請求項５記載のディスペンサー。
【請求項７】
ベースマウントは容器の口に係合する用に適合された端部を有することを特徴とする請求項５記載のディスペンサー。
【請求項８】
ベースマウントは、そこに提供された複数のしるしを有するダイヤル表面を含み、注ぎ口は、前記複数のしるしの１つを指すポインターが提供されていることを特徴とする請求項５記載のディスペンサー。
【請求項９】
ベースマウントのダイヤル表面は、時計型であることを特徴とする請求項８記載のディスペンサー。
【発明の詳細な説明】
【技術分野】
【０００１】
本出願は、２００４年１１月１日に出願された米国仮出願番号６０／６２３，２２５号の優先権を主張し、参照によってここに組み込まれる。
【０００２】
本発明は、磁気器具に関する。特に、本発明は、ワイン、スピリッツ、又は飲料のボトル、ビン等の容器のための磁気ディスペンサーに関する。
【背景技術】
【０００３】
多くのアルコール飲料は、木の特質によって風味や香りを含んだ飲料の感覚刺激性の特性を高めるために、木製の樽内で熟成され、又は一定の期間製品に木や木製チップを混入させることがよく知られている。
【０００４】
タンニンは、葡萄の皮、種、茎及び／又は木製の樽、破片、チップの使用によって得られる刺激が強く、苦くて渋い、辛口の味わいのある物質であり、これはワインを熟成し、及び／又は、ワインや他のアルコール飲料に様々な異なる特徴の味覚を与える。ワインのこのようなタンニンは、年月を通じて消滅し、そして、一般に古いワインは、若いワインより、柔らかく、まろやかで、フルーティな味わいを有する。スピリッツでは、タンニンは一般的に様々な新規の及び使い古した木製の樽から得られ、様々な後味を有する完成品とするためにスピリッツは一定の期間熟成される。
【発明の開示】
【発明が解決しようとする課題】
【０００５】
こうしたアルコール製品が市場に販売されるとき、それらは一般的に完全に熟成し、芳香を得るのに十分な期間を与えられることはない。市場に販売される前に、ワインやスピリッツがコントロールした環境の使用によって、貯蔵される。ワインがその最適な熟成に達するまで数年間製品を貯蔵するための製造メーカーの付加経費が、相当のコストとなって最終製品に加えられる。一般の公衆は、一般的にこれらが最適な状態となる前にこうした製品を消費する。
【０００６】
マグネットの使用は、酸やタンニンの効果を最小限にする。それゆえ、飲料を提供する時間に、アルコール飲料を特定の方向の磁界に晒すことが所望される。
コーヒー、お茶、フルーツジュースでは、そのような磁界へ晒すと、知覚される酸の風味を減少させることができる。
【課題を解決するための手段】
【０００７】
ワイン、スピリッツ、その他の飲料の味覚や風味を変化させるために飲料を磁界を流すことができる磁気ディスペンサーが提供される。１つの側面として、磁気ディスペンサーは注ぎ口と磁石を含む。注ぎ口は、容器内の液体を注ぎ口の所定の通路を通って注ぎ出されるように大きさ及び形状が形成される。磁石は、磁界を発生することが可能である。液体が注ぎ出されるとき、液体は磁界を通過する。注ぎ口と磁石の位置関係は調整可能である。容器の外に液体を注ぐとき、磁界は、適切な角度で注ぎ出される液体と空気の間の界面を通り抜ける。それゆえディスペンサーは、飲料の最初の風味を異なる風味へ変化させる。
【０００８】
１つの実施形態では、磁石及び注ぎ口は、互いに対して回転可能である。磁石は、空洞を有するドーナッツ型であってもよい。液体が注ぎ出されるとき、液体は磁石の空洞を通る。
【０００９】
ベースマウントが磁気ディスペンサーに含まれている。磁石は、ベースマウントに固定して組み込まれている。従って、ベースマウントと注ぎ口の位置関係は、調整可能である。ベースマウントは容器の注ぎ口に取着するのに適合した端部を有する。ベースマウントは、そこに設けられた複数のしるしを有するダイヤル表面を有し、注ぎ口は、前記複数のしるしの１つを指し示すポインターが提供される。ベースマウントのダイアル表面は時計型に形成しうる。
【発明を実施するための最良の形態】
【００１０】
図示するために、用語「上」、「下」、「右」、「左」、「垂直」、「水平」、「頂部」は、以下の図面で方向づけされた発明に関連して表されている。特別に逆さまに明記されたものを除いて、発明は様々なポジションを取りうると理解される。さらに、図面や以下の記述で記載された特定の器具は本発明の単純な典型例であると理解される。それ故、以下で開示した実施形態に関する特定の寸法、その他の特徴は限定するために考慮されてはならない。
【００１１】
ここで図面を参照する。これは、図面全体を通じて同様の部品には同様の参照番号を表してある。図１は、ボトルと、エンドキャップを有する磁気ディスペンサーを示す。磁気ディスペンサーは、ボトルの口に取着するため調整される。エンドキャップは、磁気ディスペンサーの開口端部を覆うように調整される。
【００１２】
説明目的のため、ボトルは、特定の飲料用に特殊な形態をしている。しかし、磁気ディスペンサーは、ワイン、スピリッツ、ビール、コーヒー、お茶、フルーツジュース、水その他の様々な種類の飲料の他種類の容器に対して使用されると認識される。
【００１３】
図示された実施形態では、ディスペンサーは、調節可能なポインターを有する注ぎ口と、ベースマウントの肩部にスケールを有するベースマウントと、ボトルインサートを含む。好ましくは、インサートは、ゴムシールを含む。ディスペンサーは、ボトルの口に差し込まれる。好ましくは、ベースマウントは、注ぎ口に対して回転可能に設けられる。
【００１４】
図２ａは、図１の磁気ディスペンサーの分解図を示す。それは、ポインターを有する調整可能な注ぎ口と、ベースマウントに取着されたインサートを含む。ベースマウントは、その肩部にスケールと、組み込まれた磁石組立品を有する。図示された実施形態のスケールは、１２スケールを有する時計型である。スケールは、１２スケールより多かったり、又は少ない他のタイプも可能であると理解される。
【００１５】
飲料を注ぐときに、飲料はディスペンサー中央の中空チューブを通って流れる。磁界の方向は、スケールのポインターの異なる位置に対応した種々の角度のチューブを通じて流れ出す液体と入ってくる空気の流れとの境界を通り抜けるように、調整可能な注ぎ口は時計方向又は半時計方向に回転可能である。
【００１６】
図２ｂは、磁気ディスペンサーの組み込まれた磁石の斜視図を示す。図示された実施形態では、磁界をディスペンサーの１２時と６時の間の位置に調整し、ボトルの口に取り付けられている。磁界は、例えば、１時と７時の間又は５時と１１時の間といった他の２つの位置の間で調整できると理解される。
【００１７】
図３ａ−３ｅを参照すると、ボトルから液体を注いだとき、スケール６の９時を示し、上方向に向けたポインター３６を有する調整可能な注ぎ口３４が示されている。磁界Ｆ２は、ボトルからの液体の流れに対して０°で磁気ディスペンサーの内側のチューブ状の空洞を通って注ぎ出される液体４２と入ってくる空気４６との界面を通り抜ける。この状態で液体を流したとき、ディスペンサーは、飲料の最初の風味を異なる風味に変化させることができる。注ぎ口は、注いでいる液体の流れ３２の方向に応じて時計周り３５又は半時計周りに回転して調整される。
【００１８】
図４ａ−４ｅを参照すると、ボトルから液体を注いだとき、そのスケールの９時と１２時の間に合わせ、上方向に配置したポインター３６を有する調整可能な注ぎ口３４が示されている。磁界Ｆ２は、ボトルの液体の流れに対して４５°で磁気ディスペンサーの内側のチューブ状の空洞を通って注ぎ出される液体４２と入ってくる空気４６の間の界面を通り抜ける。この位置で液体を流したとき、ディスペンサーは、飲料の最初の風味を異なる風味に変化させることができる。注ぎ口は、注がれる液体の流れ３２の方向に応じて時計周り３５又は半時計周りに回転することができる。
【００１９】
図５ａ−５ｅを参照すると、ボトルから液体を注いだとき、スケール６の１２時を示し、上方向に向けたポインター３６を有する調整可能な注ぎ口３４が示されている。磁界Ｆ２は、ボトルの液体の流れに対して９０°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２０】
図６ａ−６ｅを参照すると、ボトルから液体を注いだとき、そのスケールの１２時と３時の間に合わせ、上方向に配置したポインター３６を有する調整可能な注ぎ口３４が示されている。磁界Ｆ２は、ボトルの液体の流れに対して１３５°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２１】
図７ａ−７ｅを参照すると、ボトルから液体を注いだとき、スケール６の３時を示し、上方向に向けたポインター３６を有する調整可能な注ぎ口３４が示されている。磁界Ｆ２は、ボトルの液体の流れに対して１８０°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２２】
図８ａ−８ｅを参照すると、ボトルから液体を注いだとき、そのスケールの３時と６時の間に合わせ、上方向に配置したポインター３６を有する調整可能な注ぎ口３４が示されている。磁界Ｆ２は、ボトルの液体の流れに対して２２５°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２３】
図９ａ−９ｅを参照すると、ボトルから液体を注いだとき、スケール６の６時を示し、上方向に向けたポインター３６を有する調整可能な注ぎ口３４が示されている。磁界Ｆ２は、ボトルの液体の流れに対して２７０°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２４】
図１０ａ−１０ｅを参照すると、ボトルから液体を注いだとき、そのスケールの６時と９時の間に合わせ、上方向に配置したポインター３６を有する調整可能な注ぎ口３４が示されている。磁界Ｆ２は、ボトルの液体の流れに対して３１５°で磁気ディスペンサーの内側のチューブ状の空洞を通って注ぎ出される液体４２と入ってくる空気４６の間の界面を通り抜ける。この位置で液体を注ぐと、ディスペンサーは、飲料の最初の風味を異なる風味に変化させることができる。注ぎ口は、注がれる液体の流れ３２の方向に応じて時計周り３５又は半時計周りに回転することができる。
【００２５】
調整可能な注ぎ口３４のポインター３６は図３−１０に示されるダイアルの特定の位置のみ示すが、ポインター３６は飲料の最初の風味を異なる風味に変化させるためにダイアルのどのような位置に向けることも可能であると理解される。
【００２６】
図１１ａ及び１２ａは、調整可能な注ぎ口を有する磁気ディスペンサーの他の実施形態の正面図である。注ぎ口は、注がれる液体の流れ６２の方向に応じて時計周り３５又は半時計周りに回転することができる。ディスペンサー７０のベースマウントは１つ又はそれ以上の磁石が取り付けられている。
【００２７】
図１１ｂ及び図１２ｂは、それぞれ、図１１ａ及び１２ａの磁気ディスペンサーの磁石の斜視図である。図示した実施形態では、磁界Ｆ４、Ｆ５は、ボトルから液体を注ぐとき、ある角度で磁気ディスペンサーの内側のチューブ状の空洞を通って注ぎ出される液体７２と入り込む空気７４の間の界面を通じて通り抜ける。追加の磁石８０は、ディスペンサーのベースマウントに取り付けられている。
【００２８】
図１３ａは、ディスペンサーの内側の構造を示す図３ａの磁気ディスペンサーの正面断面図である。図１３ｂは、図１３ａの磁気ディスペンサーの磁石の斜視図である。図１４ａは、ディスペンサーの内側の構造を示す図１１ａの磁気ディスペンサーの正面断面図である。図１４ｂは、図１４ａの磁気ディスペンサーの磁石の斜視図である。図１３ａ及び１４ａのディスペンサーはそれぞれキャップを含む。
【００２９】
図１５は、他の実施形態に従ったボトルと固定された注ぎ口を有する磁気ディスペンサーである。本実施形態では、磁界Ｆ３７は、ディスペンサーの１２時と６時の間に調整され、ボトルの口の挿入される。磁界Ｆ３７は、例えば１時と７時又は５時と１１時の間といった他の２つの位置の間に調整することもできる。図示された実施形態のスケールは、１２スケールを有する時計型である。スケールは、１２スケールよりも多く又は少ない他の型にすることもできると理解される。
【００３０】
図１６ａ−１６ｅを参照すると、ボトルから液体を注いでいるとき、固定された注ぎ口２５４の９時のポイントが上方向に示されている。磁界Ｆ２は、ボトルの液体の流れに対して０°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３１】
図１７ａ−１７ｅを参照すると、ボトルから液体を注いでいるとき、固定された注ぎ口２５４の９時及び１２時の中央のポイントが上方向に示されている。磁界Ｆ２は、ボトルの液体の流れに対して４５°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３２】
図１８ａ−１８ｅを参照すると、ボトルから液体を注いでいるとき、固定された注ぎ口２５４の１２時のポイントが上方向に示されている。磁界Ｆ２は、ボトルの液体の流れに対して９０°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３３】
図１９ａ−１９ｅを参照すると、ボトルから液体を注いでいるとき、固定された注ぎ口２５４の１２時及び３時の中央のポイントが上方向に示されている。磁界Ｆ２は、ボトルの液体の流れに対して１３５°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３４】
図２０ａ−２０ｅを参照すると、ボトルから液体を注いでいるとき、固定された注ぎ口２５４の３時のポイントが上方向に示されている。磁界Ｆ２は、ボトルの液体の流れに対して１８０°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３５】
図２１ａ−２１ｅを参照すると、ボトルから液体を注いでいるとき、固定された注ぎ口２５４の３時及び６時の中央のポイントが上方向に示されている。磁界Ｆ２は、ボトルの液体の流れに対して２２５°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３６】
図２２ａ−２２ｅを参照すると、ボトルから液体を注いでいるとき、固定された注ぎ口２５４の６時のポイントが上方向に示されている。磁界Ｆ２は、ボトルの液体の流れに対して２７０°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３７】
図２３ａ−２３ｅを参照すると、ボトルから液体を注いでいるとき、固定された注ぎ口２５４の６時及び９時の中央のポイントが上方向に示されている。磁界Ｆ２は、ボトルの液体の流れに対して３１５°で磁気ディスペンサーの内側のチューブ状の空洞を通って注ぎ出される液体２６２と入ってくる空気２６６の間の界面を通り抜ける。この位置で液体を注ぐと、ディスペンサーは、飲料の最初の風味を異なる風味に変化させることができる。
【００３８】
図２４は、注いでいるとき上方向を指している異なるスケールの表示を有するボトルで回転している磁界の方向を示す。磁気ディスペンサーは注ぐ方向に対して上方向に差している表示に相当する測定値に対して、それぞれの角度で流れ出す液体２７０と入り込む空気２７４の界面を通り抜ける。図１６−２３は、ボトルから液体が注ぎ出されるとき、固定された注ぎ口２５４の８つの位置を示すが、固定された注ぎ口２５４は、飲料の最初の風味を異なる風味に変化させる液体を注ぐどのような位置をとることができる。
【００３９】
図２５ａは、磁気ディスペンサーの他の実施形態の縦断面図を示す。磁気ディスペンサー１０２は、一般的に参照番号１１０によって全体が示された全体的にチューブ状の本体を含む。チューブ状本体又は管１１０は、開口又はチャンバー１０８を通る流れと中央の縦方向軸Ｘによって画定される。チューブ状本体１１０は、上方部１０６と下方部１２８を有する。チューブ状本体１１０の上方部１０６は、傾斜した端部１０４を有する。
【００４０】
チューブ状本体１１０の下方部１２８は、ボトルの口に挿入されるのに適合したボトルインサート１２６で画定される。ボトルインサート１２６がここに挿入されるとき、一般的な円筒型シール１２０は、ボトルの口と摩擦によって係合できるようにボトルインサート１２６の外周に取り付けられる。ボトルインサート１２６をボトルの口に挿入し、ボトルを閉じるのを容易にするために、シール１２０の外周表面は、ボトルインサート１２６の底端部に向かってわずかにテーパーがある。好ましくは、シール１２０は、ゴム又は他の適切な素材によって作成される。
【００４１】
参照番号１１８で全体を特定されている仕切、好ましくは環状の仕切が、下方部１２６の近傍のチューブ状本体１１０の外周に提供される。本実施形態によれば、仕切１１８は、ボトルインサート１２６の近傍及び上方に配置される。仕切１１８は、肩部１４４と裾部１２６を有する。肩部１１４及び裾部１２２は共に、以下に詳細に記載される磁石を受け入れるための空洞又は凹み１２４で画定される。
【００４２】
チューブ状本体１１０及び仕切１８０はプラスチック、アルミニウム、銅、その他の適当な素材のような非磁気シールド材料で作成される。
【００４３】
他の実施形態によれば、磁石組立品は、少なくとも１つの磁石、すなわち第１磁石１１２を含む。第２の磁石１１６及び追加の複数の磁石１３０を追加できる。２つの磁石１１２、１１６のそれぞれは、図２５ｂに描かれているように双極子リング磁石（dipole ring magnet）の形態である。２つの双極子リング磁石１１２、１１６は同じ大きさである。２つの双極子リング磁石１１２、１１６は、環状の凹部１２４にはめ込まれ固定される。２つの双極子リング磁石１１２、１１６は、図２５ａで最適例が示されるように、第１磁石の北磁極が第２磁石の南磁極と直接に向かい合うように、かつ、第１磁石１１２の南磁極が第２磁石１１６の北磁極と直接に向かい合うような方法で他の頂部に配置される。
２つの双極子リング磁石１１２、１１６は、このような方法で偏極され、配置されるとき、２つの磁石１１２、１１６は、よく知られているようにそれら磁石の引きつける力で一緒に保持される。
【００４４】
図示された実施形態では、２つの双極子リング磁石１１２、１１６は環状凹部１２４に組み込まれるとき、２つのリング磁石１１２、１１６の内側の筒型表面は磁気ディスペンサーの内側の筒型表面と実質的に同一表面となる。
【００４５】
２つのリング磁石１１２、１１６の外側の筒型表面は、環状の仕切１１８の内側の筒型表面に対して隣接してもよい。頂部のリング磁石１１２の頂部表面は、環状肩部１１４の底部表面に隣接してもよい。底部リング磁石１１６の底部表面はボトルインサート１２６の頂端部に対して隣接している。
【００４６】
２つの双極子リング磁石１１２、１１６は、磁気ディスペンサーの開口１０８を通る流れに広がる磁界を発生する。ディスペンサー内の磁界の方向は、図２５ａに描かれているように、波形の水平な磁束通路又は磁力線Ｆ９によって通常通りに表現されている。
【００４７】
磁気ディスペンサー内の２つの双極子リング磁石１１２、１１６が示されているが、リング磁石の数や大きさは所望によって磁界を強めるために増加させてもよい。
【００４８】
図２６ａ、２６ｂは、磁気ディスペンサーの磁石組立品の他の実施形態を示す。この実施形態によれば、磁石組立品は少なくとも２つの磁石を含む。すなわち第１磁石１１５及び第２磁石１１７である。第３の磁石又はそれ以上の磁石が追加されてもよい。それぞれの２つの磁石１１５、１１７は、多極リング磁石の形態をとる。２つの多極リング磁石１１５、１１７は、第１磁石１１５の２つの北磁極がそれぞれ第２磁石１１７の２つの南磁極と直接に向かい合い、第１磁石１１５の２つの南磁極はそれぞれ第２の磁石１１７の２つの北磁極と直接に向かい合うような方法で他の頂部に配置される。
【００４９】
２つの多極リング磁石１１５、１１７は環状凹部１２４にはめ込まれていて、２つのリング磁石１１５、１１７の内側の筒型表面は、磁気ディスペンサーの筒型表面と実質的に同一表面である。
【００５０】
２つの多極リング磁石１１５、１１７は、磁気ディスペンサーの開口１０８を通じる流れに広がる磁界に伝わる。ディスペンサー内の磁界の方向は、図２６ａに描かれるように、磁力線Ｆ１０によって示される。
【００５１】
図２７ａ、２７ｂは、磁気ディスペンサーの磁石組立品の他の実施形態を示す。この実施形態によれば、磁石組立品は少なくとも２つの磁石を含む、すなわち、第１磁石１３２と第２磁石１３４である。第３の磁石１３９又はそれ以上の磁石が付加されてもよい。
【００５２】
図２８ａ、２８ｂは磁気ディスペンサーの磁石組立品の他の実施形態を示す。この実施形態によれば、磁石組立品は、少なくとも２つの磁石を含む、すなわち第１磁石１３６及び第２磁石１３８である。第３の磁石１４０又はそれ以上の磁石が付加されてもよい。
【００５３】
図２９ａ、２９ｂは、磁気ディスペンサーの磁石組立品の他の実施形態を示す。この実施形態によれば、磁石組立品は、少なくとも２つの磁石を含む、すなわち、第１磁石１４２及び第２磁石１４４である。第３の磁石１４６又はそれ以上の磁石は付加されてもよい。第１磁石１４２は、内側の南磁極と同心外側の北磁極の放射状の両極性を有する。第２の磁石１４４は内側の北磁極と同心外側の南磁極と放射状の両極性を有する。
【００５４】
使用において、図２９ａに示すように、第１リング磁石１４２は、第１磁石１４２の外側の北磁極が直接に第２の磁石１４４の外側の南磁極と直接に向かい合い、第１磁石１４２の内側の南磁極が第２磁石１４４の内側の北磁極と直接に向かい合うような方法で第２磁石１４４の頂部に配置される。
【００５５】
２つのリング磁石１４２、１４４は環状の凹部１２４内にはめ込まれ、２つのリング磁石１４２、１４４の内側の筒型表面が磁気ディスペンサーの内側筒型表面と実質的に同一表面とされる。
【００５６】
２つのリング磁石１４２、１４４は、磁気ディスペンサーの開口１０８を通じる流れに広がる磁界を発生する。図２９ａに描かれるように、波状の磁力線Ｆ１７は磁気ディスペンサー内の磁界の方向を表す。
【００５７】
図３０ａ、３０ｂは、磁気ディスペンサーの磁石組立品の他の実施形態を示す。この実施形態によれば、磁石組立品は少なくとも２つの磁石を含む、すなわち、第１磁石１４４と第２磁石１４２である。第３の磁石１４８又はそれ以上の磁石が付加されてもよい。図２９ａ、２９ｂ内の磁石１４４と同じである第１磁石１４４は、内側の北磁極及び外側の南磁極とで放射状の両極性を有する。図２９ａ、２９ｂ内の磁石１４２と同じである第２磁石１４４は、内側の南磁極及び外側の北磁極とで放射状の両極性を有する。
【００５８】
第１リング磁石１４４は、図３０ａに最適例が示されるように、第１磁石１４４の内側の北磁極が第２磁石１４２の内側の南磁極と直接に向かい合い、第１の磁石１４４の外側の南磁極は第２の磁石１４２の外側の北磁極と直接に向かい合う。
【００５９】
２つのリング磁石１４４、１４２は、環状の凹部１２４にはめ込まれるとき、２つのリング磁石１４４、１４２の内側の筒状の表面は磁気ディスペンサーの内側の筒型表面と実質的に同一表面である。
【００６０】
２つのリング磁石１４４、１４２は磁気ディスペンサーの開口１０８を通じる流れに広がる磁界を発生させる。ディスペンサー内の磁界の方向は図３０ａに描かれるように、磁力性Ｆ２８によって図示される。
【００６１】
図３１ａ、３１ｂは、磁気ディスペンサーの磁石組立品の他の実施形態を示す。この実施形態によれば、磁石組立品は少なくとも２つの磁石を含む、すなわち、第１磁石１５０と第２磁石１５２である。第１磁石１５０は上方の北磁極及び下方の南磁極を有する矩形の双極子磁石の形態である。同様の大きさを有する第１及び第２磁石１５０、１５２は、図３１ａに最適例が示されるように、第１磁石１５０の上方の北磁極が第２磁石１５２の上方の南磁極と向かい合い、第１磁石１５０の下方の南磁極が第２磁石１５２の下方の北磁極と向かい合うような方法で環状凹部１２４内の他のものと向かい合いそれに配置される。２つの向かい合う磁石１５０、１５２の間の距離は磁気ディスペンサーの開口１０８を通る流れの直径と等しい。
【００６２】
２つの矩形の磁石１５０、１５２は、磁気ディスペンサーの開口１０８を通じる流れに広がる磁界を発生させる。波状で水平の磁力線Ｆ２９は、図３１ａに描かれるように、磁気ディスペンサー内の磁界の方向を表す。
【００６３】
図３２ａ、３２ｂは、磁気ディスペンサーの磁石組立品の他の実施形態を示す。この実施形態によれば、磁石組立品は少なくとも２つの磁石を含む、すなわち、第１磁石１５４と第２磁石１５６である。第１磁石１５４は、内側の北磁極と外側の南磁極を有する矩形の双極子磁石の形態である。第２磁石１５６は、内側の南磁極と外側の北磁極の形態である。
【００６４】
第１及び第２のマグネット１５４、１５６は、図３２ａに最適例が示されるように、第１磁石１５４の内側の北磁極が第２磁石１５６の内側の南磁極と向かい合うような方法で環状凹部１２４内の他に向かい合うそれに配置される。
【００６５】
２つの磁石１５４、１５６は磁気ディスペンサーの開口１０８を通じる流れに広がる磁界を発生させる。磁気ディスペンサー内の磁界の方向は水平方向のみであり、図３２ａに描かれるように磁力性Ｆ２０によって表現される。
【００６６】
図３３ａ、３３ｂは磁気ディスペンサーの磁石組立品の他の実施形態を示す。この実施形態によれば、磁石組立品は、管の内側の空洞に面する南磁極を有する２つの筒状の双極子磁石１７０と、管の内側の空洞に面する北磁極を有する筒状の双極子磁石１７１を含む。３つの双極子磁石１７０、１７１は全体的に１２０°の等しい間隔あけた管の内側の筒状壁１７２の外周周辺に配置される。
【００６７】
筒型磁石組立品１７０、１７１は凹部１２４に組み込まれるとき、管の内側の筒型壁１７２は磁気ディスペンサーの内側の筒型表面と実質的に同一表面である。
筒型磁石１７０、１７１は磁気ディスペンサーの開口１０８を通じる流れに広がる磁界を発生する。図３３ａで描かれるように複数の波形の磁力線Ｆ２３は磁気ディスペンサー内の磁界の方向を表す。
【００６８】
図３４a、３４ｂは磁気ディスペンサーの磁石組立品の他の実施形態を示す。この実施形態によれば、磁石組立品は、管の内側空洞に面する北磁極を有する２つの筒型双極子磁石１７４と管の内側空洞に面する南磁極を有する筒型双極子磁石１７５を含む。３つの双極子磁石１７４、１７５は全体に１２０°の間隔で等しく間隔を置いた管の内側の筒型壁１７６の外周周辺に配置される。
【００６９】
筒型磁石組立品１７４、１７５が環状の凹部１２４内に組み込まれるとき、管の内側の筒型壁１７６は磁気ディスペンサーの内側の筒型表面と実質的に同一表面である。
【００７０】
筒型磁石１７４、１７５は磁気ディスペンサーの開口１０８を通じた流れに広がる磁界を発生する。図３４ａに描かれるように複数の波状の磁力線Ｆ２４は、磁気ディスペンサー内の磁界の方向を表す。それぞれの筒型磁石１７０、１７１，１７４、１７５が１２０°の等しい間隔を開けて配置される２３番目及び２４番目の実施形態で記述されているが、それぞれの筒型磁石１７０、１７１、１７４、１７５は磁石のいかなる適切な数が供給されてもよいと理解される。例えば、筒型磁石１７０、１７１又は１７４、１７５は１８０°の等しい間隔で配置された２つの周囲に間隔を開けた磁石を提供してもよいし、筒型磁石１７０、１７１又は１７４、１７５は９０°の等しい間隔を開けて配置された４つの周囲に間隔をあけた磁石で提供してもよい。
【００７１】
図３５ａ、３５ｂは、磁気ディスペンサーの磁石組立品の他の実施形態を示してもよい。この実施形態によれば、磁石組立品は、半筒状の双極子磁石１８０の形態や上方半分に南磁極及び下方半部に北磁極を有する半円形断面部分の形態であってもよい。
【００７２】
半筒型磁石１８０の半筒型表面１８２は、磁気ディスペンサーの内側筒状表面に対して近傍に形成したり付属させてもよい。本発明によれば、磁石１８０の上方半分が環状仕切１２４に近接され、磁石１８０の下方半分がボトルインサート１２６に近接されるような方法で環状の仕切１１８の長さ全体に沿って、及びボトルインサート１２６の全体の長さに沿って延びる。図３５ａに描かれるように磁力線Ｆ２５は、磁気ディスペンサー内の磁界の方向を意味する。
【００７３】
図３６ａ、３６ｂは磁化ディスペンサーの磁石組立品の他の実施形態を示す。この実施形態によると、北磁極が上方半分に配置され、南磁極が下方半分に配置されるように、磁石組立品は図３５ａおよび図３５ｂの同一の半筒型柱状双極子磁石１８０であるが、逆さまである。同様に、半筒型磁石１８０の半筒型表面１８２は磁気ディスペンサーの内側の筒型表面に対して近接しておよび付属されている。磁化ディスペンサー内の磁界の方向は、図３６ａに描かれるように、磁力線Ｆ２６によって示される。
【００７４】
図３７ａ、３７ｂは、磁化ディスペンサーの磁石組立品の他の実施形態を示す。この実施形態によると、磁石組立品は半筒型柱状多極磁石１９０の形態である。多極磁石１９０はＳ−Ｎ−Ｓの交互の両極性構造を有する。すなわち、磁石の反対端の南磁極および２つの南磁極間の北磁極である。磁石１９０の磁極の総数は、３，５等の奇数が可能であると思われる。
【００７５】
半筒型磁石１９０の半筒状表面１９２は磁気ディスペンサー内側筒型表面に対して近接しておよび付属されている。図３７ａに描かれてるように、磁力線Ｆ２７は磁気ディスペンサー内の磁界の方向を表す。
【００７６】
図３８ａ、３８Ｂは、磁化ディスペンサーの磁石の他の実施形態を示す。この実施形態によれば、磁石組立品は半筒型柱状の多極磁石１９０の形態である。多極磁石１９０はＮ−Ｓ−Ｎの交互の両極性磁石構造を有する。すなわち、磁石の反対端部の北磁極及び２つの北磁極の間の南磁極である。磁石１９０の磁極の総数は、３，５等の奇数である。
【００７７】
同様に、半筒型磁石１９０の半筒型表面１９２はディスペンサーの内側の筒型表面に対して近接し、付属されている。磁石ディスペンサー内の磁界の方向は、図３８ａに描かれているように磁力線Ｆ２８によって表されている。
【００７８】
図３９ａ、３９Ｂは磁気ディスペンサーの磁石組立品の他の実施形態を示す。この実施形態によれば、磁石組立品は、頂部から底部へ数えられるように交互の両極性構造Ｓ−Ｎ−Ｓ−Ｎ５を有する半筒型柱状多極磁石２００の形態である。磁石２００の磁極の総数は、４、６等の偶数である。
【００７９】
半筒型磁石２００の半筒型表面は、磁石ディスペンサーの内側の筒型表面に対して近接し、付属されている。図３９ａに描かれるように、磁力線Ｆ２９は、磁気ディスペンサー内の磁界の方向を表す。
【００８０】
図４０ａ、４０ｂは、磁気ディスペンサーの磁石組立品の他の実施形態を示す。この実施形態によれば、磁石組立品は図３９ａ、３９ｂに図示されるように同様の半筒型柱状多極磁石２００であるが、頂部から底部へ数えられるように交互の多極構造Ｎ−Ｓ−Ｎ−Ｓと反対にされている。再度述べると、磁石２００の磁極の総数は偶数である。
【００８１】
同様に半筒型磁石２００の半筒型表面２０２はディスペンサーの内側の筒型表面に対して近接され、付属される。磁気ディスペンサー内の磁界の方向は、図４０ａに描かれるように、磁力線Ｆ３０によって表される。
【００８２】
図４１ａ、４１ｂは、磁気ディスペンサーの磁石組立品の他の実施形態を示す。この実施形態によれば、磁石組立品は上方半分に南磁極及び下方半分に北磁極を有する矩形又は棒型の磁極２１０の形態である。
【００８３】
磁石２１０は、その中央の磁気ディスペンサーの開口１０８を通じる流れに沿って広がる。図４１ａに描かれるように、磁力線Ｆ３１は磁気ディスペンサー内の磁界の方向を意味する。
【００８４】
図４２ａ、４２ｂは、磁気ディスペンサーの磁石組立品の他の実施形態を示す。この実施形態によれば、磁石組立品は図４１ａ、４１ｂに示されるように同じ矩形又は棒状の磁石２１０であるが、上方半分で北磁極及び下方半分で南磁極と反対におかれている。
【００８５】
再度述べると、磁石２１０は、その中央の磁気ディスペンサーの開口１０８を通じた流れに沿って広がる。磁気ディスペンサー内の磁界の方向は磁力線Ｆ３２によって従来通り表される。
【００８６】
図４３ａ、４３ｂは磁気ディスペンサーの磁石組立品の他の実施形態を示す。この実施形態によれば、磁石組立品は、そこの反対端部の南磁極と２つの南磁極の間の北磁極を有する矩形又は棒状の多極磁石２２０の形態である。磁極配列は、Ｓ−Ｎ−Ｓである。磁石２２０の磁極の総数は、３，５等の奇数である。
【００８７】
磁石２２０は、その中央の磁気ディスペンサーの開口１０８を通る流れに沿って広がる。図４３ａに描かれるように、磁力線Ｆ３３は、磁気ディスペンサー内の磁界の方向を表す。
【００８８】
図４４ａ、４４ｂは磁気ディスペンサーの磁石組立品の他の実施形態を示す。この実施形態によれば、磁石組立品は、その反対端の北磁極及び２つの北磁極間の南磁極を有する矩形又は棒状の多極磁石２２２である。磁極配列はＮ−Ｓ−Ｎである。磁石２２２の磁極の総数は、奇数である。
【００８９】
磁石２２２は、その中央の磁気ディスペンサーの開口１０８を通じる流れに沿って広がる。磁気ディスペンサー内の磁界の方向は磁力線Ｆ３４によって表される。
【００９０】
図４５ａ、４５ｂは磁気ディスペンサーの磁石組立品の他の実施形態を示す。この実施形態によれば、磁石組立品は、頂部から底部に数えられるように、磁極配列Ｎ−Ｓ−Ｎ−Ｓを有する矩形又は棒状の多極磁石２３０である。磁石２３０の磁極の総数は、４，６等の偶数である。
【００９１】
磁石２３０は図４５ａ内に図示されたように磁気ディスペンサーの開口１０８を通じる流れに沿って広がる。磁力線Ｆ３５は磁気ディスペンサー内の磁界の方向を表す。
【００９２】
図４６ａ、４６ｂは磁気ディスペンサーの磁石組立品の他の実施形態を示す。この実施形態によると、磁石組立品は図４５ａ、４５ｂに示されるような同様な矩形又は棒状の多極磁石２３０であるが、頂部から底部に数えられるように磁極配列Ｓ−Ｎ−Ｓ−Ｎと逆さまにされている。再度述べると、磁石２３０の磁極総数は、偶数である。
【００９３】
磁石２３０は図４６ａに図示されるように磁気ディスペンサーの開口１０８を通じる流れ内に配置される。磁気ディスペンサー内の磁界の方向は、従来通り、磁力線Ｆ３６によって表される。
【００９４】
図４７，４８，４９は、磁気ディスペンサーの異なる実施形態である。
【００９５】
図４７の実施形態によれば、磁気ディスペンサー３０６は、開口３０２を通じる流れを定義するチューブ状部材３０６を含む。チューブ状部材３０６は、上方部２８０及び下方部２９０を有する。チューブ状部材３０６の下方部２９０はボトル２５０の口２４９に挿入されるのに適合するボトルインサートを画定する。ボトルインサート２９２が挿入されるとき、全体的に筒型シール２９４はボトル２５０の口２４９に摩擦で係合するためにボトルインサート２９２の外周に付属される。シール２９４の外周は、ボトル２５０の口２４９へのボトルインサート２９２の挿入を容易にするためにボトルインサート２９２の低端部に向かってわずかにテーパーがある。好ましくは、シール２９４はゴム又は他の適切な材料で作成される。参照番号２８４によって全体を指示されるキャップ形状の部材は、その上方部材のチューブ状部材３０６に提供される。本発明の実施形態によれば、キャップ型部材２８４はボトルインサート２９２に近接して又は上方に配置される。キャップ型部材は肩部３００、裾部２８６及び支持部２８８を含む。肩部３００、裾部２８６及び支持部２８８は磁極リング磁石１１２，１１６をそこで受容するために空間２８２を画定する。支持部材２８８はリング磁石１１２、１１６を支持するのに適合される。
【００９６】
磁気ディスペンサー２４６は磁極リング磁石１１２、１１６が供給されることが示されているが、磁気ディスペンサー２４６はここで前に記述した他の磁石組立品が供給されてもよい。
【００９７】
図４８の実施形態によると、磁気ディスペンサーは３３４は開口３２８を通じる流れを定義するチューブ状部材３３０を含む。チューブ状部材３３０は、上方部３１０及び下方部３１８を有する。チューブ状部材３３０の下方部３１８はボトル２５０の口２４９に挿入されるのに適合されたボトルインサートを画定する。全体的に筒型シール３２２は、ボトルインサート３２０がそこに挿入されるとき、ボトル２５０の口２４９と摩擦で係合するためにボトルインサート３２０の外周に付属される。シール３２２の外周は、ボトルインサート３２０をボトル２５０の口２４９内に挿入するのを容易にするためにボトルインサート３２０の底部の方へわずかにテーパーがかけられている。好ましくは、シール３２２はゴム又は他の適切な材料で作成される。
【００９８】
参照番号３１４によって全体を指示された密封仕切は、その上方部分３１０のチューブ状部材３３０に提供される。本実施形態によれば、密閉仕切３１４は、ボトルインサート３２０に近接かつ上方に配置される。密閉仕切３１４は、リング磁石１１２、１１６をそこに収容するための空間３１２を画定する。リング磁石１１２、１１６は密閉仕切３１４に配置される。図４７のフランジ３０４で示されるフランジ３３２は、磁気ディスペンサー３３４に提供される。
【００９９】
磁気ディスペンサー３３４は双極子リング磁石１１２、１１６が提供されるように示されているが、磁気ディスペンサー３３４は、上述した他の磁石組立品が提供されてもよい。
【０１００】
図４９の実施形態よれば、磁気ディスペンサー３６２は開口３５６を通じた流れを定義するチューブ状部材３５８を含む。チューブ状部材３５８は上方部３４０及び下方部３４６を有する。チューブ状部材３５８の下方部はボトル２５０の口２４９に挿入されるように適合されたボトルインサート３４８を画定する。全体的に筒型シール３５０はボトルインサート３４８が挿入されるとき、ボトル２５０の口２４９に摩擦で係合するためにボトルインサート３４８の外周に付属される。シール３５０の外周は、ボトル２５０の口２４９にボトルインサート３４８の挿入を容易にするためにボトルインサート３４８の底部に向けてわずかにテーパーがある。好ましくはシール３５０はゴムや他の適切な素材で作成される。
【０１０１】
参照番号３４４で全体を示される密閉仕切は、その上方部３４０のチューブ状部材３５８に提供される。本実施形態によれば、密閉仕切３４４はボトルインサート３４８の近傍及び上方に配置される。密閉仕切３４４は、リング磁石１１２、１１６を収容するために空間３４２を画定する。
【０１０２】
図示された実施形態によれば、チューブ状部材３５８の上方部分３４０は仕切３４０から上方向に突出している。傾斜した開口端部３６０は、チューブ状部材３５８の上方端部に提供される。
【０１０３】
磁気ディスペンサー３６２は、双極子リング磁石１１２，１１６が提供されるように示されているが、磁気ディスペンサー３６２は、上述の他の磁石組立品が提供されてもよい。
【０１０４】
本発明は、多数の好適な実施形態を特に参照して示され、記述されているが、他の様々な変形や変更が本発明を逸脱しない範囲でなされることに注意すべきである。
【図面の簡単な説明】
【０１０５】
【図１】図１は、ボトルと調節可能な注ぎ口を有する磁気ディスペンサーの実施形態の図である。
【図２ａ】図２ａは、図１の磁気ディスペンサーの分解図である。
【図２ｂ】図２ｂは、図２ａの磁気ディスペンサーの磁石の斜視図である。
【図３ａ】図３ａは、ボトルから液体を注いだとき、そのスケールの９時に合わせ、上方向に配置したポインターを有する図２ａの磁気ディスペンサーの図である。
【図３ｂ】図３ｂは、図３ａの磁気ディスペンサーの磁石の斜視図である。
【図３ｃ】図３ｃは、液体が注ぎ出されている状態を示す図３ａの磁気ディスペンサーの断面図である。
【図３ｄ】図３ｄは、図３ｂの磁石の平面図である。
【図３ｅ】図３ｅは、注ぎ出されるときの液体のレベルを示す図３ｂのマグネットの正面図である。
【図４ａ】図４ａは、ボトルから液体を注いだとき、そのスケールの９時及び１２時の間に合わせ、上方向に配置したポインターを有する図２ａの磁気ディスペンサーの図である。
【図４ｂ】図４ｂは、図４ａの磁気ディスペンサー内の磁石の斜視図である。
【図４ｃ】図４ｃは、液体が注ぎ出されている状態を示す図４ａの磁気ディスペンサーの断面図である。
【図４ｄ】図４ｄは、図４ｂの磁石の平面図である。
【図４ｅ】図４ｅは、注ぎ出されるときの液体レベルを示す図４ｂの磁石の平面図である。
【図５ａ】図５ａは、ボトルから液体を注いだとき、そのスケールの１２時に合わせ、上方向に配置した図２ａの磁気ディスペンサーの図である。
【図５ｂ】図５ｂは、図５ａの磁気ディスペンサーの磁石の斜視図である。
【図５ｃ】図５ｃは、液体が注ぎ出されている状態を示す図５ａの磁気ディスペンサーの断面図である。
【図５ｄ】図５ｄは、図５ｂの磁石の平面図である。
【図５ｅ】図５ｅは、注ぎ出されている液体のレベルを示す図５ｂの磁石の平面図である。
【図６ａ】図６ａは、ボトルから液体を注いだとき、そのスケールの１２時及び３時の間に合わせ、上方向に配置したポインターを有する図２ａの磁気ディスペンサーの図である。
【図６ｂ】図６ｂは、図４ａの磁気ディスペンサーの磁石の斜視図である。
【図６ｃ】図６ｃは、液体が注ぎ出されている状態を示す図５ａの磁気ディスペンサーの断面図である。
【図６ｄ】図６ｄは、図６ｂの磁石の平面図である。
【図６ｅ】図６ｅは、注ぎ出されている液体のレベルを示す図６ｂの磁石の平面図である。
【図７ａ】図７ａは、ボトルから液体を注いだとき、そのスケールの３時に合わせ、上方向に配置したポインターを有する図２ａの磁気ディスペンサーの図である。
【図７ｂ】図７ｂは、図７ａの磁気ディスペンサーの磁石の斜視図である。
【図７ｃ】図７ｃは、液体が注ぎ出されている状態を示す図７ａの磁気ディスペンサーの断面図である。
【図７ｄ】図７ｄは、図７ｂの磁石の平面図である。
【図７ｅ】図７ｅは、注ぎ出されている液体のレベルを示す図７ｂの磁石の平面図である。
【図８ａ】図８ａは、ボトルから液体を注いだとき、そのスケールの３時及び６時の間に合わせ、上方向に配置したポインターを有する図２ａの磁気ディスペンサーの図である。
【図８ｂ】図８ｂは、図８ａの磁気ディスペンサー内の磁石の斜視図である。
【図８ｃ】図８ｃは、液体が注ぎ出されている状態を示す図８ａの磁気ディスペンサーの断面図である。
【図８ｄ】図８ｄは、図８ｂの磁石の平面図である。
【図８ｅ】図８ｅは、液体が注ぎ出されている状態を示す図８ｂの磁気ディスペンサーの断面図である
【図９ａ】図９ａは、ボトルから液体を注いだとき、そのスケールの６時に合わせ、上方向に配置したポインターを有する図２ａの磁気ディスペンサーの図である。
【図９ｂ】図９ｂは、図９ａの磁気ディスペンサー内の磁石の斜視図である。
【図９ｃ】図９ｃは、液体が注ぎ出されている状態を示す図９ａの磁気ディスペンサーの断面図である。
【図９ｄ】図９ｄは、図９ｂの磁石の平面図である。
【図９ｅ】図９ｅは、注ぎ出されている液体のレベルを示す図９ｂの磁石の平面図である。
【図１０ａ】図１０ａは、ボトルから液体を注いだとき、そのスケールの６時と９時の間に合わせ、上方向に配置したポインターを有する図２ａの磁気ディスペンサーの図である。
【図１０ｂ】図１０ｂは、図１０ａの磁気ディスペンサー内の磁石の斜視図である。
【図１０ｃ】図１０ｃは、液体が注ぎ出されている状態を示す図１０ａの磁気ディスペンサーの断面図である。
【図１０ｄ】図１０ｄは、図１０ｂの磁石の平面図である。
【図１０ｅ】図１０ｅは、注ぎ出されている液体のレベルを示す図１０ｂの磁石の平面図である。
【図１１ａ】図１１ａは、調節可能な注ぎ口を有する磁気ディスペンサーの別の実施形態の図である。
【図１１ｂ】図１１ｂは、図１１ａの磁気ディスペンサーの磁石の斜視図である。
【図１２ａ】図１２ａは、そのスケールの１２時に合わせたポインターを有する図１１ａの磁気ディスペンサーの図である。
【図１２ｂ】図１２ｂは、図１２ｂの磁気ディスペンサー内の磁石の斜視図である。
【図１３ａ】図１３ａは、図３ａの磁気ディスペンサーの正面断面図である。
【図１３ｂ】図１３ｂは、図１３ａの磁気ディスペンサーの磁石の斜視図である。
【図１４ａ】図１４ａは、図１１ａの磁気ディスペンサーの正面断面図である。
【図１４ｂ】図１４ｂは、図１４ａの磁気ディスペンサーの磁石の斜視図である。
【図１５】図１５は、ボトルと、固定された注ぎ口を有する磁気ディスペンサーの別の実施形態の図である。
【図１６ａ】図１６ａは、ボトルから液体を注いだとき、スケールの９時を上方向に配置された図１５の磁気ディスペンサーの図である。
【図１６ｂ】図１６ｂは、図１６ａの磁気ディスペンサーの磁石の斜視図である。
【図１６ｃ】図１６ｃは、液体が注ぎ出されている状態を示す図１６ａの磁気ディスペンサーの断面図である。
【図１６ｄ】図１６ｄは、図１６ｂの磁石の平面図である。
【図１６ｅ】図１６ｅは、注ぎ出されている液体のレベルを示す図１６ｂの磁石の平面図である。
【図１７ａ】図１７ａは、ボトルから液体を注いだとき、上方向に配置された９時及び１２時の間のスケールのポイントを有する図１５の磁気ディスペンサーの図である。
【図１７ｂ】図１７ａの磁気ディスペンサーの磁石の斜視図である。
【図１７ｃ】図１７ｃは、液体が注ぎ出されている状態を示す図１７ａの磁気ディスペンサーの断面図である。
【図１７ｄ】図１７ｄは、図１７ｂの磁石の平面図である。
【図１７ｅ】図１７ｅは、注ぎ出されているときの液体のレベルを示す１７ｂの磁石の平面図である。
【図１８ａ】図１８ａは、ボトルから液体を注いだとき、スケールの１２時が上方向に配置された図１５の磁気ディスペンサーの図である。
【図１８ｂ】図１８ｂは、図１８ａの磁気ディスペンサーの磁石の斜視図である。
【図１８ｃ】図１８ｃは、液体が注ぎ出されている状態を示す図１８ａの磁気ディスペンサーの断面図である。
【図１８ｄ】図１８ｄは、図１８ｂの磁石の平面図である。
【図１８ｅ】図１８ｅは、液体を注ぎ出されるときの液体のレベルを示す図１８ｂの磁石の平面図である。
【図１９ａ】図１９ａは、ボトルから液体を注いだとき、スケールの１２時及び３時の間にスケールのポイントが上方向に配置された図１５の磁気ディスペンサーの図である。
【図１９ｂ】図１９ｂは、図１９ａの磁気ディスペンサーのマグネットの斜視図である。
【図１９ｃ】図１９ｃは、液体が注ぎ出されている状態を示す図１９ａの磁気ディスペンサーの断面図である。
【図１９ｄ】図１９ｄは、図１９ｂの磁石の平面図である。
【図１９ａ】図１９ａは、注ぎ出されるときの液体のレベルを示す図１９ｂの磁石の平面図である。
【図２０ａ】図２０ａは、ボトルのから液体を注いだとき、スケールの３時が上方向に配置された図１５の磁気ディスペンサーの図である。
【図２０ｂ】図２０ｂは、図２０ａの磁気ディスペンサーの磁石の斜視図である。
【図２０ｃ】図２０ｃは、液体が注ぎ出される状態を示す図２０ａの磁気ディスペンサーの断面図である。
【図２０ｄ】図２０ｄは、図２０ｂの磁石の平面図である。
【図２０ｅ】図２０ｅは、注ぎ出されるときの液体のレベルを示す図２０ｂの磁石の平面図である。
【図２１ａ】図２１ａは、ボトルから液体を注いだとき、スケールの３時及び６時の間にスケールのポイントが上方向に配置された図１５の磁気ディスペンサーの図である。
【図２１ｂ】図２１ｂは、図２１ａの磁気ディスペンサーの磁石の斜視図である。
【図２１ｃ】図２１ｃは液体が注ぎ出される状態を示す図２１ａの磁気ディスペンサーの断面図である。
【図２１ｄ】図２１ｄは、図２１ｂの磁石の平面図である。
【図２１ｅ】図２１ｅは、注ぎ出されるときの液体のレベルを示す図２１ｂの磁石の平面図である。
【図２２ａ】図２２ａは、ボトルから液体を注いだとき、スケールの６時が上方向に配置された図１５の磁気ディスペンサーの図である。
【図２２ｂ】図２２ｂは、図２２ａの磁気ディスペンサーの磁石の斜視図である。
【図２２ｃ】図２２ｃは、液体が注ぎ出される状態を示す図２２ａの磁気ディスペンサーの断面図である。
【図２２ｄ】図２２ｄは、図２２ｂの磁石の平面図である。
【図２２ｅ】図２２ｅは、注ぎ出されるときの液体のレベルを示す図２２ｂの磁石の平面図である。
【図２３ａ】図２３ａは、ボトルから液体を注いだときにスケールの６時及び９時の間にスケールのポイントが上方向に配置された図１５の磁気ディスペンサーの図である。
【図２３ｂ】図２３ｂは、図２３ａの磁気ディスペンサーの磁石の斜視図である。
【図２３ｃ】図２３ｃは、液体が注ぎ出される状態を示す図２３ａの磁気ディスペンサーの断面図である。
【図２３ｄ】図２３ｄは、図２３ｂの磁石の平面図である。
【図２３ｅ】図２３ｅは、注ぎだれるときの液体のレベルを示す図２３ｂの磁石の平面図である。
【図２４】図２４は、異なる時計位置での図１５の磁気ディスペンサー内の飲料の位置を示す図である。
【図２５ａ】図２５ａは、磁気ディスペンサーの他の実施形態の縦断面図である。
【図２５ｂ】図２５ｂは、図２５ａの磁気ディスペンサーの磁石組立品の分解図である。
【図２６ａ】図２６ａは、磁気ディスペンサーの他の実施形態の縦断面図である。
【図２６ｂ】図２６ｂは、図２６ａの磁気ディスペンサーの磁石組立品の分解図である。
【図２７ａ】図２７ａは、磁気ディスペンサーの他の実施形態の縦断面図である。
【図２７ｂ】図２７ｂは、図２７ａの磁気ディスペンサーの磁石組立品の分解図である。
【図２８ａ】図２８ａは、磁気ディスペンサーの他の実施形態の縦断面図である。
【図２８ｂ】図２８ｂは、図２８ａの磁気ディスペンサーの磁石組立品の分解図である。
【図２９ａ】図２９ａは、磁気ディスペンサーの他の実施形態の縦断面図である。
【図２９ｂ】図２９ｂは、図２９ａの磁気ディスペンサーの磁石組立品の分解図である。
【図３０ａ】図３０ａは、磁気ディスペンサーの他の実施形態の縦断面分解図である。
【図３０ｂ】図３０ｂは、図３０ａの磁気ディスペンサーの磁石組立品の分解図である。
【図３１ａ】図３１ａは、磁気ディスペンサーの他の実施形態の縦断面図である。
【図３１ｂ】図３１ｂは、図３１ａの磁気ディスペンサーの磁石組立品の縦断面図である。
【図３２ａ】図３２ａは、磁気ディスペンサーの他の実施形態の縦断面図である。
【図３２ｂ】図３２ｂは、図３２ａの磁気ディスペンサーの磁石組立品の分解図である。
【図３３ａ】図３３ａは、磁石ディスペンサーの他の実施形態の縦断面図である。
【図３３ｂ】図３３ｂは、図３３ａの磁気ディスペンサーの磁石組立品の分解図である。
【図３４ａ】図３４ａは、磁気ディスペンサーの他の実施形態の縦断面図である。
【図３４ｂ】図３４ｂは、図３４ａの磁気ディスペンサーの磁石組立品の分解図である。
【図３５ａ】図３５ａは、磁気ディスペンサーの他の実施形態の縦断面図である。
【図３５ｂ】図３５ｂは、図３５ａの磁気ディスペンサーの磁石組立品の分解図である。
【図３６ａ】図３６ａは、磁気ディスペンサーの他の実施形態の縦断面図である。
【図３６ｂ】図３６ｂは、図３６ａの磁気ディスペンサーの磁石組立品の分解図である。
【図３７ａ】図３７ａは、磁気ディスペンサーの他の実施形態の縦断面図である。
【図３７ｂ】図３７ｂは、図３７ａの磁気ディスペンサーの磁石組立品の分解図である。
【図３８ａ】図３８ａは、磁気ディスペンサーの他の実施形態の縦断面図である。
【図３８ｂ】図３８ｂは、図３８ａの磁気ディスペンサーの磁石組立品の分解図である。
【図３９ａ】図３９ａは、磁気ディスペンサーの他の実施形態の縦断面図である。
【図３９ｂ】図３９ｂは、図３９ａの磁気ディスペンサーの磁石組立品の分解図である。
【図４０ａ】図４０ａは、磁気ディスペンサーの他の実施形態の縦断面図である。
【図４０ｂ】図４０ｂは、図４０ａの磁気ディスペンサーの磁石組立品の分解図である。
【図４１ａ】図４１ａは、磁気ディスペンサーの他の実施形態の縦断面図である。
【図４１ｂ】図４１ｂは、図４１ａの磁気ディスペンサーの磁石組立品の分解図である。
【図４２ａ】図４２ａは、磁気ディスペンサーの他の実施形態の縦断面図である。
【図４２ｂ】図４２ｂは、図４２ａの磁気ディスペンサーの他の実施形態の縦断面図である。
【図４３ａ】図４３ａは、磁気ディスペンサーの他の実施形態の縦断面図である。
【図４３ｂ】図４３ｂは、図４３ａの磁気ディスペンサーの磁石組立品の分解図である。
【図４４ａ】図４４ａは、磁気ディスペンサーの他の実施形態の縦断面図である。
【図４４ｂ】図４４ｂは、図４４ａの磁気ディスペンサーの磁石組立品の分解図である。
【図４５ａ】図４５ａは、磁気ディスペンサーの他の実施形態の縦断面図である。
【図４５ｂ】図４５ｂは、図４５ａの磁気ディスペンサーの磁石組立品の分解図である。
【図４６ａ】図４６ａは、磁気ディスペンサーの他の実施形態の縦断面図である。
【図４６ｂ】図４６ｂは、図４６ａの磁気ディスペンサーの磁石組立品の分解図である。
【図４７】図４７は、磁気ディスペンサーの他の実施形態の縦断面図である。
【図４８】図４８は、磁気ディスペンサーの他の実施形態の縦断面図である。
【図４９】図４９は、磁気ディスペンサーの他の実施形態の縦断面図である。
【図１】
2008517844.tif 000003
【図２ａ】
2008517844.tif 000004
【図２ｂ】
2008517844.tif 000005
【図３ａ】
2008517844.tif 000006
【図３ｂ】
2008517844.tif 000007
【図３ｃ】
2008517844.tif 000008
【図３ｄ】
2008517844.tif 000009
【図３ｅ】
2008517844.tif 000010
【図４ａ】
2008517844.tif 000011
【図４ｂ】
2008517844.tif 000012
【図４ｃ】
2008517844.tif 000013
【図４ｄ】
2008517844.tif 000014
【図４ｅ】
2008517844.tif 000015
【図５ａ】
2008517844.tif 000016
【図５ｂ】
2008517844.tif 000017
【図５ｃ】
2008517844.tif 000018
【図５ｄ】
2008517844.tif 000019
【図５ｅ】
2008517844.tif 000020
【図６ａ】
2008517844.tif 000021
【図６ｂ】
2008517844.tif 000022
【図６ｃ】
2008517844.tif 000023
【図６ｄ】
2008517844.tif 000024
【図６ｅ】
2008517844.tif 000025
【図７ａ】
2008517844.tif 000026
【図７ｂ】
2008517844.tif 000027
【図７ｃ】
2008517844.tif 000028
【図７ｄ】
2008517844.tif 000029
【図７ｅ】
2008517844.tif 000030
【図８ａ】
2008517844.tif 000031
【図８ｂ】
2008517844.tif 000032
【図８ｃ】
2008517844.tif 000033
【図８ｄ】
2008517844.tif 000034
【図８ｅ】
2008517844.tif 000035
【図９ａ】
2008517844.tif 000036
【図９ｂ】
2008517844.tif 000037
【図９ｃ】
2008517844.tif 000038
【図９ｄ】
2008517844.tif 000039
【図９ｅ】
2008517844.tif 000040
【図１０ａ】
2008517844.tif 000041
【図１０ｂ】
2008517844.tif 000042
【図１０ｃ】
2008517844.tif 000043
【図１０ｄ】
2008517844.tif 000044
【図１０ｅ】
2008517844.tif 000045
【図１１ａ】
2008517844.tif 000046
【図１１ｂ】
2008517844.tif 000047
【図１２ａ】
2008517844.tif 000048
【図１２ｂ】
2008517844.tif 000049
【図１３ａ】
2008517844.tif 000050
【図１３ｂ】
2008517844.tif 000051
【図１４ａ】
2008517844.tif 000052
【図１４ｂ】
2008517844.tif 000053
【図１５】
2008517844.tif 000054
【図１６ａ】
2008517844.tif 000055
【図１６ｂ】
2008517844.tif 000056
【図１６ｃ】
2008517844.tif 000057
【図１６ｄ】
2008517844.tif 000058
【図１６ｅ】
2008517844.tif 000059
【図１７ａ】
2008517844.tif 000060
【図１７ｂ】
2008517844.tif 000061
【図１７ｃ】
2008517844.tif 000062
【図１７ｄ】
2008517844.tif 000063
【図１７ｅ】
2008517844.tif 000064
【図１８ａ】
2008517844.tif 000065
【図１８ｂ】
2008517844.tif 000066
【図１８ｃ】
2008517844.tif 000067
【図１８ｄ】
2008517844.tif 000068
【図１８ｅ】
2008517844.tif 000069
【図１９ａ】
2008517844.tif 000070
【図１９ｂ】
2008517844.tif 000071
【図１９ｃ】
2008517844.tif 000072
【図１９ｄ】
2008517844.tif 000073
【図１９ｅ】
2008517844.tif 000074
【図２０ａ】
2008517844.tif 000075
【図２０ｂ】
2008517844.tif 000076
【図２０ｃ】
2008517844.tif 000077
【図２０ｄ】
2008517844.tif 000078
【図２０ｅ】
2008517844.tif 000079
【図２１ａ】
2008517844.tif 000080
【図２１ｂ】
2008517844.tif 000081
【図２１ｃ】
2008517844.tif 000082
【図２１ｄ】
2008517844.tif 000083
【図２１ｅ】
2008517844.tif 000084
【図２２ａ】
2008517844.tif 000085
【図２２ｂ】
2008517844.tif 000086
【図２２ｃ】
2008517844.tif 000087
【図２２ｄ】
2008517844.tif 000088
【図２２ｅ】
2008517844.tif 000089
【図２３ａ】
2008517844.tif 000090
【図２３ｂ】
2008517844.tif 000091
【図２３ｃ】
2008517844.tif 000092
【図２３ｄ】
2008517844.tif 000093
【図２３ｅ】
2008517844.tif 000094
【図２４】
2008517844.tif 000095
【図２５ａ】
2008517844.tif 000096
【図２５ｂ】
2008517844.tif 000097
【図２６ａ】
2008517844.tif 000098
【図２６ｂ】
2008517844.tif 000099
【図２７ａ】
2008517844.tif 000100
【図２７ｂ】
2008517844.tif 000101
【図２８ａ】
2008517844.tif 000102
【図２８ｂ】
2008517844.tif 000103
【図２９ａ】
2008517844.tif 000104
【図２９ｂ】
2008517844.tif 000105
【図３０ａ】
2008517844.tif 000106
【図３０ｂ】
2008517844.tif 000107
【図３１ａ】
2008517844.tif 000108
【図３１ｂ】
2008517844.tif 000109
【図３２ａ】
2008517844.tif 000110
【図３２ｂ】
2008517844.tif 000111
【図３３ａ】
2008517844.tif 000112
【図３３ｂ】
2008517844.tif 000113
【図３４ａ】
2008517844.tif 000114
【図３４ｂ】
2008517844.tif 000115
【図３５ａ】
2008517844.tif 000116
【図３５ｂ】
2008517844.tif 000117
【図３６ａ】
2008517844.tif 000118
【図３６ｂ】
2008517844.tif 000119
【図３７ａ】
2008517844.tif 000120
【図３７ｂ】
2008517844.tif 000121
【図３８ａ】
2008517844.tif 000122
【図３８ｂ】
2008517844.tif 000123
【図３９ａ】
2008517844.tif 000124
【図３９ｂ】
2008517844.tif 000125
【図４０ａ】
2008517844.tif 000126
【図４０ｂ】
2008517844.tif 000127
【図４１ａ】
2008517844.tif 000128
【図４１ｂ】
2008517844.tif 000129
【図４２ａ】
2008517844.tif 000130
【図４２ｂ】
2008517844.tif 000131
【図４３ａ】
2008517844.tif 000132
【図４３ｂ】
2008517844.tif 000133
【図４４ａ】
2008517844.tif 000134
【図４４ｂ】
2008517844.tif 000135
【図４５ａ】
2008517844.tif 000136
【図４５ｂ】
2008517844.tif 000137
【図４６ａ】
2008517844.tif 000138
【図４６ｂ】
2008517844.tif 000139
【図４７】
2008517844.tif 000140
【図４８】
2008517844.tif 000141
【図４９】
2008517844.tif 000142
【国際調査報告】
2008517844.tif 000143
2008517844.tif 000144
2008517844.tif 000145